(57)【要約】  例えば、スプリットリング共振器のメリット（小型でかつ製造コストが低い）を維持しつつ、共振周波数をマルチバンド化または広帯域化した、アンテナを提供すること。アンテナは、例えば、スプリットリング導体部と、リング内導体部と、を備え、前記スプリットリング導体部は、ある領域の外であって、前記領域の輪郭に沿った部分の、スプリット以外の部分に、存在し、前記リング内導体部は、前記領域の内に、存在し、前記スプリットリング導体部における前記スプリットを挟む部分の一方と連続しており、少なくとも一部が前記スプリットリング導体部に沿うように曲げられている。
2020054681.tif 000002
【特許請求の範囲】
【請求項１】
スプリットリング導体部と、
リング内導体部と、
を備え、
前記スプリットリング導体部は、
ある領域の外であって、
前記領域の輪郭に沿った部分の、スプリット以外の部分に、
存在し、
前記リング内導体部は、
前記領域の内に、
存在し、
前記スプリットリング導体部における前記スプリットを挟む部分の一方と連続しており、
少なくとも一部が前記スプリットリング導体部に沿うように曲げられている、
アンテナ。
【請求項２】
前記スプリットリング導体部と、
前記リング内導体部における前記スプリットリング導体部に沿う部分と、
の間の幅が、
前記スプリットリング導体部と、
前記リング内導体部における前記スプリットリング導体部に沿う部分以外の部分と、の間の幅よりも、
狭い、
請求項１に記載のアンテナ。
【請求項３】
前記スプリットリング導体部と、
前記リング内導体部における前記スプリットリング導体部に沿う部分と、
が、
共振に寄与するキャパシタンスを有する程度に近接している、
請求項１に記載のアンテナ。
【請求項４】
前記リング内導体部に対して、
給電線の接続による給電、または、ワイヤレス給電、がされる、
請求項１から３のいずれかに記載のアンテナ。
【請求項５】
前記スプリットリング導体部に対して、
給電線の接続による給電、または、ワイヤレス給電、がされる、
請求項４に記載のアンテナ。
【請求項６】
前記領域が、
略四角形であり、
前記スプリットは、
前記領域の角付近に存在し、
前記リング内導体部は、
前記スプリットリング導体部と連続する箇所から見て１つ目の曲がり目と、終端と、の間の部分が、前記スプリットリング導体部に沿うように、１回曲げられている、
請求項１から５のいずれかに記載のアンテナ。
【請求項７】
前記スプリットリング導体部と、
前記リング内導体部における、前記スプリットリング導体部と連続する箇所から見て２つ目の曲がり目と、終端と、の間の部分と、
の間の幅が、
前記スプリットリング導体部と、
前記リング内導体部における２箇所の曲がり目の間の部分と、
の間の幅よりも、
狭い、
請求項６に記載のアンテナ。
【請求項８】
第２リング内導体部
を備え、
前記リング内導体部は、
ある第２の領域の外であって、
前記第２の領域の輪郭に沿った部分の、第２スプリット以外の部分に、
存在し、
前記第２リング内導体部は、
前記第２の領域の内に、
存在し、
前記リング内導体部における前記第２スプリットを挟む部分の一方と連続しており、少なくとも一部が前記リング内導体部に沿うように曲げられている、
請求項１から７のいずれかに記載のアンテナ。
【請求項９】
請求項１から８のいずれかに記載のアンテナ
を備える、
通信装置。
【発明の詳細な説明】
【技術分野】
【０００１】
本発明は、アンテナおよび通信装置に関する。
【背景技術】
【０００２】
無線通信装置に用いられる小型アンテナとして、スプリットリング共振器を用いたアンテナが知られている。例えば、特許文献１に、スプリットリング共振器を備えた無線通信装置が開示されている。
【先行技術文献】
【特許文献】
【０００３】
【特許文献１】国際公開第２０１３／０２７８２４号
【発明の概要】
【発明が解決しようとする課題】
【０００４】
特許文献１におけるアンテナは、スプリットリング共振器の共振周波数が１つである。このため、特許文献１におけるアンテナには、「どのように、スプリットリング共振器のメリット（小型でかつ製造コストが低い）を維持しつつ、共振周波数をマルチバンド化または広帯域化するか」という課題がある。
【課題を解決するための手段】
【０００５】
本開示のある態様に係るアンテナは、例えば、スプリットリング導体部と、リング内導体部と、を備えてもよく、前記スプリットリング導体部は、ある領域の外であって、前記領域の輪郭に沿った部分の、スプリット以外の部分に、存在してもよく、前記リング内導体部は、前記領域の内に、存在してもよく、前記スプリットリング導体部における前記スプリットを挟む部分の一方と連続していてもよく、少なくとも一部が前記スプリットリング導体部に沿うように曲げられていてもよい。【０００６】
本開示のある態様に係る通信装置は、例えば、本開示のある態様に係るアンテナを備えてもよい。
【発明の効果】
【０００７】
本開示における様々な態様によれば、例えば、スプリットリング共振器のメリット（小型でかつ製造コストが低い）を維持しつつ、共振周波数をマルチバンド化または広帯域化した、アンテナおよび当該アンテナを備える通信装置を提供できる。
【図面の簡単な説明】
【０００８】
【図１】本開示のある態様に係るアンテナの例
【図２】本開示のある態様に係るアンテナの例
【図３】本開示のある態様に係るアンテナの例
【図４】本開示のある態様に係るアンテナの例
【図５】本開示のある態様に係るアンテナの例
【図６】本開示のある態様に係るアンテナの例
【図７】本開示のある態様に係るアンテナの例
【図８】本開示のある態様に係るアンテナの例
【図９】本開示のある態様に係るアンテナの例
【図１０】本開示のある態様に係るアンテナの例
【図１１】本開示のある態様に係るアンテナの例
【図１２】本開示のある態様に係るアンテナの例
【図１３】本開示のある態様に係るアンテナの特性の例
【図１４】本開示のある態様に係るアンテナの例
【図１５】本開示のある態様に係るアンテナの例
【図１６】本開示のある態様に係るアンテナの例
【図１７】本開示のある態様に係るアンテナの例
【図１８】本開示のある態様に係るアンテナの例
【図１９】本開示のある態様に係るアンテナの例
【図２０】本開示のある態様に係るアンテナの例
【図２１】本開示のある態様に係るアンテナの例
【図２２】本開示のある態様に係るアンテナの例
【図２３】本開示のある態様に係るアンテナの例
【図２４】本開示のある態様に係るアンテナの例
【図２５】本開示のある態様に係るアンテナの例
【図２６】本開示のある態様に係るアンテナの例
【図２７】本開示のある態様に係るアンテナの例
【図２８】本開示のある態様に係るアンテナの例
【図２９】本開示のある態様に係るアンテナの例
【図３０】本開示のある態様に係るアンテナの例
【図３１】本開示のある態様に係るアンテナの例
【図３２】本開示のある態様に係るアンテナの例
【図３３】本開示のある態様に係るアンテナの例
【図３４】本開示のある態様に係るアンテナの例
【発明を実施するための形態】
【０００９】
本開示におけるすべての態様は、例示に過ぎず、その他の例の本開示からの排除を意図するものでも、特許請求の範囲に記載された発明の技術的範囲の限定を意図するものでもない。
【００１０】
本開示における各態様同士の組み合わせに係る記載を、一部省略する場合があるかもしれない。その省略は、説明の簡略化を意図するものであり、本開示からの排除を意図するものでも、特許請求の範囲に記載された発明の技術的範囲の限定を意図するものでもない。その省略の有無に関わらず、本開示における各態様同士のすべての組み合わせは、本開示に、明示的、暗示的、または内在的に、含まれる。すなわち、その省略の有無に関わらず、本開示における各態様同士のすべての組み合わせは、本開示から、直接的かつ明確に、導くことができる。
【００１１】
例えば、本開示のある態様に係るアンテナは、図１〜１２のように、スプリットリング導体部１０１と、リング内導体部１０２と、を備えてもよく、スプリットリング導体部１０１は、領域１０３の外であって、領域１０３の輪郭に沿った部分の、スプリット１０４以外の部分に、存在してもよく、リング内導体部１０２は、領域１０３の内に、存在してもよく、スプリットリング導体部１０１におけるスプリット１０４を挟む部分の一方と連続していてもよく、少なくとも一部がスプリットリング導体部１０１に沿うように曲げられていてもよい。
【００１２】
例えば、領域１０３は、スプリットリング導体部１０１とスプリット１０４により囲まれていてもよい。
例えば、領域１０３は、どのような形状でもよく、正方形や長方形等の多角形の形状でも、円や楕円等の形状でもよい。
【００１３】
例えば、スプリットリング導体部１０１は、板金で形成されていてもよい。
例えば、スプリットリング導体部１０１は、どのような形状でもよく、方形リングに沿った略Ｃ字形状に基づく形状でも、円形リング、楕円形リング、トラックリング等、その他様々なリングに沿った形状に基づく形状でもよい。
例えば、スプリットリング導体部１０１におけるスプリット１０４を挟む部分に、補助導体１０１１が備えられていてもよい。補助導体１０１１は、スプリットリング導体部１０１と、同一の層に設けられていてもよいし、異なる層に設けられていてもよい。
【００１４】
例えば、スプリット１０４には、なにも満たされていなくてもよいし、樹脂等が満たされていてもよい。
例えば、スプリット１０４は、どのような形状でもよく、直線、曲線、折れ線等、の形状でもよい。
例えば、スプリット１０４は、ミアンダ形状でもよい。ミアンダ形状という文言には、つづら折り形状、櫛歯形状、インターデジタル構造に基づく形状等、の文言で称される概念が、含まれるものとする。例えば、ミアンダ形状は、直線、曲線、折れ線等、の組み合わせによって形成される。
【００１５】
例えば、リング内導体部１０２は、板金で形成されていてもよい。
例えば、リング内導体部１０２は、スプリットリング導体部１０１と同一の層に設けられていてもよい。ただし、スプリットリング導体部１０１におけるリング内導体部１０２に沿う部分以外の部分は、リング内導体部１０２が存在する層とは別の層に設けられていてもよい。
例えば、リング内導体部１０２と、スプリットリング導体部１０１と、は、１枚の導体板からレーザ等で切り出すことにより、形成されてもよい。
【００１６】
本開示のある態様に係るアンテナは、例えば、２つの共振回路を備えている、と捉えることができる。
１つ目の共振回路は、例えば、ＲＦ（Radio Frequency）信号が給電されることにより、スプリット１０４に生じるキャパシタンスと、スプリットリング導体部１０１に生じるインダクタンスと、からなる、と捉えることができる。この１つ目の共振回路によって、第１の共振周波数が生じる、と捉えることができる。
２つ目の共振回路は、例えば、ＲＦ信号が給電されることにより、スプリット１０４に生じるキャパシタンスと、リング内導体部１０２に生じるインダクタンスと、スプリットリング導体部１０１と、リング内導体部１０２におけるスプリットリング導体部１０１に沿う部分と、の間に生じるキャパシタンスと、スプリットリング導体部１０１におけるリング内導体部１０２に沿う部分以外の部分に生じるインダクタンスと、からなる、と捉えることができる。この２つ目の共振回路によって、第２の共振周波数が生じる、と捉えることができる。
以上からわかるように、１つ目の共振回路の共振周波数と、２つ目の共振回路の共振周波数と、は互いに異なる、と捉えることができる。
１つ目の共振回路の共振周波数と、２つ目の共振回路の共振周波数と、を遠ざければ、マルチバンドのアンテナとなる。１つ目の共振回路の共振周波数と、２つ目の共振回路の共振周波数と、を近づければ、広帯域のアンテナとなる。例えば、２つ目の共振回路の共振周波数が、１つ目の共振回路の共振周波数よりも、高い場合、２つ目の共振回路の共振周波数を低く調節することで、１つ目の共振回路の共振周波数と、２つ目の共振回路の共振周波数と、を近づければよい。２つ目の共振回路の共振周波数を低く調節するには、例えば、リング内導体部１０２の長さを長くしたり、スプリットリング導体部１０１と、リング内導体部１０２におけるスプリットリング導体部１０１に沿う部分と、の間の幅を狭くしたり、スプリットリング導体部１０１と、リング内導体部１０２におけるスプリットリング導体部１０１に沿う部分と、の間にチップキャパシタを設けたり、スプリットリング導体部１０１と、リング内導体部１０２におけるスプリットリング導体部１０１に沿う部分と、の間の領域をミアンダ形状にしたり、すればよい。
以上より、本開示のある態様によれば、例えば、スプリットリング共振器のメリット（小型でかつ製造コストが低い）を維持しつつ、共振周波数をマルチバンド化または広帯域化した、アンテナを提供できる。
本開示のある態様によれば、例えば、図１３のように、共振周波数が単一である場合よりも、リターンロスが閾値ａ以下となる帯域幅が広くなる場合がある。閾値ａは、例えば−１０ｄＢであるが、それには限られず、リターンロスが閾値ａ以下である場合にアンテナとして十分動作すれば足りる。
【００１７】
なお、本開示のある態様に係るアンテナは、例えば、後から基板２等に実装するための部品として形成されていてもよい。
本開示のある態様に係るアンテナは、例えば、基板２上に直接形成されていてもよい。
本開示のある態様に係るアンテナは、例えば、基板２から突出していてもよい。
本開示のある態様に係るアンテナは、例えば、基板２に対して略垂直に配置されてもよい。
【００１８】
例えば、本開示のある態様に係るアンテナは、図１〜１２のように、スプリットリング導体部１０１と、リング内導体部１０２におけるスプリットリング導体部１０１に沿う部分と、の間の幅が、スプリットリング導体部１０１と、リング内導体部１０２におけるスプリットリング導体部１０１に沿う部分以外の部分と、の間の幅よりも、狭くてもよい。
例えば、本開示のある態様に係るアンテナは、図１〜１２のように、スプリットリング導体部１０１と、リング内導体部１０２におけるスプリットリング導体部１０１に沿う部分と、が、共振に寄与するキャパシタンスを有する程度に近接していてもよい。
【００１９】
以上より、本開示のある態様では、例えば、ＲＦ信号が給電されることにより、スプリットリング導体部１０１と、リング内導体部１０２におけるスプリットリング導体部１０１に沿う部分と、の間に生じるキャパシタンスにより、第２の共振回路が形成される、と捉えることができる。
【００２０】
例えば、本開示のある態様に係るアンテナ（例えば、アンテナ１Ａや、その変形例）では、図１４〜２７のように、リング内導体部１０２に対して、給電線１０５の接続による給電、または、ワイヤレス給電、がされてもよい。
【００２１】
例えば、給電線１０５は、リング内導体部１０２におけるどの部分に接続されていてもよく、接続箇所を調節することで、ＲＦ回路と本開示のある態様に係るアンテナとのインピーダンスを整合することができる。
例えば、給電線１０５は、リング内導体部１０２が存在する層とは別の層に設けられ、ビア３を介してリング内導体部１０２に接続されてもよい。
例えば、給電線１０５は、リング内導体部１０２が存在する層とは同一の層に設けられ、領域１０３内で延伸されてもよく、さらに、スプリットリング導体部１０１や基板に設けられたクリアランスに沿って延伸されてもよい。
例えば、給電線１０５は、伝送線路等の電線で形成されていてもよく、板金で形成されていてもよい。
例えば、リング内導体部１０２と、給電線１０５の板金部分と、は、１枚の導体板からレーザ等で切り出すことにより、形成されてもよい。
【００２２】
リング内導体部１０２に対するワイヤレス給電は、例えば、給電線１０５が接続されたＥＭ（Electro-Magnetic）結合部１０６により、実現されてもよい。
例えば、ＥＭ結合部１０６は、リング内導体部１０２におけるどの部分とＥＭ結合してもよく、ＥＭ結合の箇所を調節することで、ＲＦ回路と本開示のある態様に係るアンテナとのインピーダンスを整合することができる。
例えば、ＥＭ結合部１０６は、リング内導体部１０２が存在する層とは別の層に設けられてもよい。
例えば、ＥＭ結合部１０６は、リング内導体部１０２が存在する層とは同一の層に設けられてもよく、ＥＭ結合部１０６に接続された給電線１０５は、領域１０３内で延伸されてもよく、さらに、スプリットリング導体部１０１や基板に設けられたクリアランスに沿って延伸されてもよい。
例えば、ＥＭ結合部１０６は、板金で形成されていてもよい。
例えば、リング内導体部１０２と、ＥＭ結合部１０６は、１枚の導体板からレーザ等で切り出すことにより、形成されてもよい。
例えば、ＥＭ結合部１０６と、給電線１０５の板金部分と、は、１枚の導体板からレーザ等で切り出すことにより、形成されてもよい。
【００２３】
以上より、本開示のある態様によれば、例えば、第２の共振回路には、直接給電がなされ、第１の共振回路には、リング内導体部１０２を介して給電がなされる。したがって、本開示のある態様によれば、例えば、リング内導体部１０２に対してではなくスプリットリング導体部１０１に対して、給電線の接続による給電、または、ワイヤレス給電、がされる場合よりも、よいアンテナ特性が得られる。
【００２４】
例えば、本開示のある態様に係るアンテナ（例えば、アンテナ１Ｂや、その変形例）では、図２８、図２９のように、さらに、スプリットリング導体部１０１に対して、給電線１０７の接続による給電、または、ワイヤレス給電、がされてもよい。
【００２５】
例えば、給電線１０７は、スプリットリング導体部１０１におけるどの部分に接続されていてもよく、接続箇所を調節することで、ＲＦ回路と本開示のある態様に係るアンテナとのインピーダンスを整合することができる。
例えば、給電線１０７は、スプリットリング導体部１０１が存在する層とは別の層に設けられ、ビア３を介してスプリットリング導体部１０１に接続されてもよい。例えば、給電線１０７は、スプリットリング導体部１０１が存在する層とは同一の層に設けられ、領域１０３内で延伸されてもよく、さらに、スプリットリング導体部１０１や基板に設けられたクリアランスに沿って延伸されてもよい。
例えば、給電線１０７は、伝送線路等の電線で形成されていてもよく、板金で形成されていてもよい。例えば、スプリットリング導体部１０１と、給電線１０７の板金部分と、は、１枚の導体板からレーザ等で切り出すことにより、形成されてもよい。
【００２６】
スプリットリング導体部１０１に対するワイヤレス給電は、例えば、給電線１０７が接続されたＥＭ（Electro-Magnetic）結合部１０８により、実現されてもよい。
例えば、ＥＭ結合部１０８は、スプリットリング導体部１０１におけるどの部分とＥＭ結合してもよく、ＥＭ結合の箇所を調節することで、ＲＦ回路と本開示のある態様に係るアンテナとのインピーダンスを整合することができる。
例えば、ＥＭ結合部１０８は、スプリットリング導体部１０１が存在する層とは別の層に設けられてもよい。
例えば、ＥＭ結合部１０８は、スプリットリング導体部１０１が存在する層とは同一の層に設けられてもよく、ＥＭ結合部１０８に接続された給電線１０７は、領域１０３内で延伸されてもよく、さらに、スプリットリング導体部１０１や基板に設けられたクリアランスに沿って延伸されてもよい。
例えば、ＥＭ結合部１０８は、板金で形成されていてもよい。
例えば、スプリットリング導体部１０１と、ＥＭ結合部１０８は、１枚の導体板からレーザ等で切り出すことにより、形成されてもよい。
例えば、ＥＭ結合部１０８と、給電線１０７の板金部分と、は、１枚の導体板からレーザ等で切り出すことにより、形成されてもよい。
【００２７】
以上より、本開示のある態様によれば、例えば、第１の共振回路にも、直接給電がなされる。したがって、本開示のある態様によれば、例えば、より細かいチューニングが可能となる。
【００２８】
例えば、本開示のある態様に係るアンテナ（例えば、アンテナ１Ａ、１Ｂ、１Ｃや、その変形例）では、図３０、図３１のように、領域１０３が、略四角形であってもよく、スプリット１０４が、領域１０３の角（頂点）付近に存在してもよく、リング内導体部１０２が、スプリットリング導体部１０１と連続する箇所から見て１つ目の曲がり目と、終端と、の間の部分が、スプリットリング導体部１０１に沿うように、１回曲げられていてもよい。
例えば、本開示のある態様に係るアンテナ（例えば、アンテナ１Ａ、１Ｂ、１Ｃや、その変形例）では、さらに、図３０、図３１のように、リング内導体部１０２における、スプリットリング導体部１０１と連続する箇所から見て２つ目の曲がり目と、終端と、の間の部分と、スプリットリング導体部１０１と、の間の幅が、リング内導体部１０２における２箇所の曲がり目の間の部分と、スプリットリング導体部１０１と、の間の幅よりも、狭くてもよい。
【００２９】
以上の本開示のある態様では、例えば、特に、広帯域で良好なアンテナ特性が得られる。
【００３０】
例えば、本開示のある態様に係るアンテナ（例えば、アンテナ１Ａ、１Ｂ、１Ｃ、１Ｄや、その変形例）では、図３２〜３４のように、さらに、リング内導体部１０９を備えてもよく、リング内導体部１０２は、領域１１０であって、領域１１０の輪郭に沿った部分の、スプリット１１１以外の部分に、存在してもよく、リング内導体部１０９は、領域１１０の内に、存在してもよく、リング内導体部１０２におけるスプリット１１１を挟む部分の一方と連続していてもよく、少なくとも一部がリング内導体部１０２に沿うように曲げられていてもよい。
【００３１】
例えば、領域１１０は、リング内導体部１０２とスプリット１１１により囲まれていてもよい。
例えば、領域１１０は、どのような形状でもよく、正方形や長方形等の多角形の形状でも、円や楕円等の形状でもよい。
【００３２】
例えば、スプリット１１１には、なにも満たされていなくてもよいし、樹脂等が満たされていてもよい。
例えば、スプリット１１１は、どのような形状でもよく、直線、曲線、折れ線等、の形状でもよい。
例えば、スプリット１１１は、ミアンダ形状でもよい。
【００３３】
例えば、リング内導体部１０９は、板金で形成されていてもよい。
例えば、リング内導体部１０９は、リング内導体部１０２と同一の層に設けられていてもよい。ただし、リング内導体部１０２におけるリング内導体部１０９に沿う部分以外の部分は、リング内導体部１０９が存在する層とは別の層に設けられていてもよい。
例えば、リング内導体部１０９と、リング内導体部１０２と、は、１枚の導体板からレーザ等で切り出すことにより、形成されてもよい。
例えば、リング内導体部１０９に対して、給電線の接続による給電、または、ワイヤレス給電、がされてもよい。
【００３４】
以上の本開示のある態様に係るアンテナは、例えば、３つ目の共振回路をさらに備えている、と捉えることができる。
３つ目の共振回路は、例えば、ＲＦ信号が給電されることにより、スプリット１１１に生じるキャパシタンスと、リング内導体部１０９に生じるインダクタンスと、リング内導体部１０２と、リング内導体部１０９におけるリング内導体部１０２に沿う部分と、の間に生じるキャパシタンスと、リング内導体部１０２におけるリング内導体部１０９に沿う部分以外の部分に生じるインダクタンスと、からなる、と捉えることができる。
以上より、本開示のある態様によれば、例えば、スプリットリング共振器のメリット（小型でかつ製造コストが低い）を維持しつつ、さらに共振周波数をマルチバンド化または広帯域化した、アンテナを提供できる。
【００３５】
なお、本開示のある態様によれば、例えば、領域１０３内、領域１１０内、領域１１２内、…と、リング内導体部を再帰的に構成することで、スプリットリング共振器のメリット（小型でかつ製造コストが低い）を維持しつつ、さらに共振周波数をマルチバンド化または広帯域化した、アンテナを提供できる。
【００３６】
例えば、本開示のある態様に係る通信装置は、本開示のある態様に係るアンテナ（例えば、アンテナ１Ａ、１Ｂ、１Ｃ、１Ｄ、１Ｅや、その変形例）を備えてもよい。
【００３７】
以上の本開示のある態様では、例えば、小型かつ高性能な通信装置を提供できる。
【００３８】
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
【００３９】
この出願は、２０１８年９月１２日に出願された日本出願特願２０１８−１７０１３１号を基礎とする優先権を主張し、その開示の全てをここに取り込む。
【符号の説明】
【００４０】
１Ａ、１Ｂ、１Ｃ、１Ｄ、１Ｅ：アンテナ
１０１：スプリットリング導体部
１０１１：補助導体
１０２：リング内導体部
１０３：領域
１０４：スプリット
１０５：給電線
１０６：ＥＭ結合部
１０７：給電線
１０８：ＥＭ結合部
１０９：リング内導体部
１１０：領域
１１１：スプリット
１１２：領域
２：基板
３：ビア
４：ランドパターン
５：接地部
ａ：閾値
【図１】
2020054681.tif 000003
【図２】
2020054681.tif 000004
【図３】
2020054681.tif 000005
【図４】
2020054681.tif 000006
【図５】
2020054681.tif 000007
【図６】
2020054681.tif 000008
【図７】
2020054681.tif 000009
【図８】
2020054681.tif 000010
【図９】
2020054681.tif 000011
【図１０】
2020054681.tif 000012
【図１１】
2020054681.tif 000013
【図１２】
2020054681.tif 000014
【図１３】
2020054681.tif 000015
【図１４】
2020054681.tif 000016
【図１５】
2020054681.tif 000017
【図１６】
2020054681.tif 000018
【図１７】
2020054681.tif 000019
【図１８】
2020054681.tif 000020
【図１９】
2020054681.tif 000021
【図２０】
2020054681.tif 000022
【図２１】
2020054681.tif 000023
【図２２】
2020054681.tif 000024
【図２３】
2020054681.tif 000025
【図２４】
2020054681.tif 000026
【図２５】
2020054681.tif 000027
【図２６】
2020054681.tif 000028
【図２７】
2020054681.tif 000029
【図２８】
2020054681.tif 000030
【図２９】
2020054681.tif 000031
【図３０】
2020054681.tif 000032
【図３１】
2020054681.tif 000033
【図３２】
2020054681.tif 000034
【図３３】
2020054681.tif 000035
【図３４】
2020054681.tif 000036
【国際調査報告】
2020054681.tif 000037
2020054681.tif 000038